(57)【要約】【課題】多心化を図ってもグランド電位を安定させることができる多心ケーブルハーネス及びコネクタ付き多心ケーブルハーネスを提供する。【解決手段】多心ケーブルハーネス１０は、信号伝送用の同軸ケーブル１１と、電源供給用のケーブル１１Ａと、中心導体４４、中心導体４４の外周に配設された外部導体４２及び外部導体４２の外周に配設された外被４１を有するグランドケーブル４０と、が並列に配置されており、同軸ケーブル１１の外被１２の外径とグランドケーブル４０の外被４１の外径が略同等であり、同軸ケーブル１１の外部導体１３の外径とケーブル１１Ａの外部導体１３Ａの外径とグランドケーブル４０の外部導体４２の外径が略同等であり、同軸ケーブル１１の外部導体１３、ケーブル１１Ａの外部導体１３Ａ及びグランドケーブル４０の外部導体４２が共通のグランドバー２０，３０に導電接続されている。【選択図】図１
2008166251.tif 000002
【特許請求の範囲】
【請求項１】
中心導体、前記中心導体の外周に配設された内部絶縁体、前記内部絶縁体の外周に配設された外部導体、及び前記外部導体の外周に配設された外被を有する複数の同軸ケーブルと、
中心導体、前記中心導体の外周に配設された外部導体及び前記外部導体の外周に配設された外被を有するグランドケーブルと、が並列に配置されており、
前記同軸ケーブルの外被の外径と前記グランドケーブルの外被の外径が略同等であり、  前記同軸ケーブルの外部導体の外径と前記グランドケーブルの外部導体の外径が略同等であり、
前記同軸ケーブルの外部導体及び前記グランドケーブルの外部導体が共通のグランドバーに導電接続されていることを特徴とする多心ケーブルハーネス。
【請求項２】
請求項１に記載の多心ケーブルハーネスであって、
前記グランドケーブルの外部導体が、二層の横巻線からなることを特徴とする多心ケーブルハーネス。
【請求項３】
請求項１または２に記載の多心ケーブルハーネスであって、
複数の前記同軸ケーブルは信号伝送用の信号ケーブルであり、
前記信号ケーブルの中心導体より断面積の大きい中心導体を備えた給電ケーブルを含むことを特徴とする多心ケーブルハーネス。
【請求項４】
請求項１から３の何れか一項に記載の多心ケーブルハーネスを備え、
前記同軸ケーブルの中心導体と前記グランドケーブルの中心導体が、コネクタの接続端子に接続されていることを特徴とするコネクタ付き多心ケーブルハーネス。
【請求項５】
請求項１に記載の多心ケーブルハーネスであって、
前記グランドケーブルの前記中心導体の撚り方向と前記外部導体の撚り方向が逆方向であることを特徴とする多心ケーブルハーネス。
【請求項６】
請求項２に記載の多心ケーブルハーネスであって、
前記グランドケーブルの前記中心導体の撚り方向と前記外部導体の内層の撚り方向が逆方向であることを特徴とする多心ケーブルハーネス。
【請求項７】
請求項５に記載の多心ケーブルハーネスであって、
前記グランドケーブルの前記外部導体の撚りピッチが前記中心導体の撚りピッチよりも大きいことを特徴とする多心ケーブルハーネス。
【請求項８】
請求項６に記載の多心ケーブルハーネスであって、
前記グランドケーブルの前記中心導体、前記外部導体の内層、前記外部導体の外層の順に撚りピッチが大きくなることを特徴とする多心ケーブルハーネス。
【発明の詳細な説明】
【技術分野】
【０００１】
本発明は、並列に配置した複数の同軸ケーブルを有し、同軸ケーブルの外部導体がグランドされた多心ケーブルハーネス及びコネクタ付き多心ケーブルハーネスに関する。
【背景技術】
【０００２】
近年、携帯電話機、小型ビデオカメラなどの普及により、これら電子機器の小型・軽量化の他に、高速・高画質化が求められている。これらに対応するために、機器本体と液晶表示部との接続や機器内の配線などに、極めて細い同軸ケーブルが用いられ、また、配線の容易性から、複数本の同軸ケーブルを集合一体化させた多心ケーブルハーネスが用いられている。
【０００３】
多心ケーブルハーネスに使用される同軸ケーブルは、内側から中心導体、内部絶縁体、外部導体、外被を順次同軸状に配設して構成される。中心導体は、例えば銅合金線を７本撚って形成され、その外面を例えばテフロン（登録商標）樹脂などの絶縁材で被覆して内部絶縁体を形成する。
【０００４】
内部絶縁体の外周面に配設される外部導体は、例えば銅合金線を横巻きで螺旋状に巻き付けて形成し、その外面に例えばポリエステルテープを２枚重ね巻きして互いに融着して外被としている。なお、外部導体の外面に銅蒸着テープを銅蒸着面を内側にして巻き付けてもよく、また、外部導体は、銅合金線の巻方向を反対にして２層に巻き付けた構造であってもよく、この他、編組構造であっても良い。
【０００５】
このような同軸ケーブルを複数本集合一体化して多心ケーブルハーネスを構成するが、この多心ケーブルハーネスの端末部分は、所定ピッチのコネクタ端子や基板等へ半田付け等の導電接着で接続固定される。このような多心ケーブルハーネスとして、図１４に示すものが知られている（例えば、特許文献１参照）。
【０００６】
図１４中、１は同軸ケーブル、１ａはその中心導体、１ｂはその内部絶縁体、１ｃはその外部導体、１ｄはその外被であり、２は接地用のグランドバー、３はコネクタ端子やＦＰＣ等の基板からなる被接続部材を示す。
【０００７】
図１４において、端末加工処理により、複数の同軸ケーブル１の外部導体１ｃの上下面（下面側は図示せず）には共通のグランドバー２が半田付けで一体化される。
【０００８】
そして、端末加工された多心ケーブル（同軸ケーブル１及びグランドバー２）は、被接続部材３に半田付けにより接続固定される。すなわち、各同軸ケーブル１の中心導体１ａが被接続部材３に半田Ｓ１で半田付けされ、グランドバー２の両端が被接続部材３の接地パターンに半田Ｓ２で半田付けされる。
【０００９】
【特許文献１】特開２００５−１８０９２２号公報
【発明の開示】
【発明が解決しようとする課題】
【００１０】
ところで、上記のように、携帯電話機、小型ビデオカメラなどの電子機器は、一層の高性能化が図られており、それにより処理する情報量も増大している。その一方で、小型・軽量化の要求もあるため、このような電子機器に用いられる多心ケーブルハーネスも高密度実装が要求され、多心ケーブルハーネス１本当たりの心数つまり同軸ケーブルの本数が増大する傾向にある。例えば、心数が２０本の多心ケーブルハーネスを２本用いるところを、心数が４０本の多心ケーブルハーネスを１本用いるなどである。
【００１１】
しかしながら、このように多心ケーブルハーネスの一層の多心化を図った場合に、グランドバーの両端でグランドするだけでは、例えばグランドバーの中央付近におけるグランド電位が不安定になりノイズ除去効果が不十分になってしまう可能性があった。
【００１２】
そこで本発明は、多心化を図ってもグランド電位を安定させることができる多心ケーブルハーネス及びコネクタ付き多心ケーブルハーネスを提供することを目的とする。
【課題を解決するための手段】
【００１３】
上記課題を解決することのできる本発明に係る多心ケーブルハーネスは、中心導体、前記中心導体の外周に配設された内部絶縁体、前記内部絶縁体の外周に配設された外部導体、及び前記外部導体の外周に配設された外被を有する複数の同軸ケーブルと、中心導体、前記中心導体の外周に配設された外部導体及び前記外部導体の外周に配設された外被を有するグランドケーブルと、が並列に配置されており、前記同軸ケーブルの外被の外径と前記グランドケーブルの外被の外径が略同等であり、前記同軸ケーブルの外部導体の外径と前記グランドケーブルの外部導体の外径が略同等であり、前記同軸ケーブルの外部導体及び前記グランドケーブルの外部導体が共通のグランドバーに導電接続されていることを特徴とする。
なお、本発明において、前記の略同等とは、外径差が±１０％以内のことを指す。
【００１４】
本発明に係る多心ケーブルハーネスにおいて、前記グランドケーブルの外部導体が、二層の横巻線からなることが好ましい。
【００１５】
また、本発明に係る多心ケーブルハーネスにおいて、複数の前記同軸ケーブルは信号伝送用の信号ケーブルであり、前記信号ケーブルの中心導体より断面積の大きい中心導体を備えた給電ケーブルを含むことが好ましい。
【００１６】
また、上記課題を解決することのできる本発明に係るコネクタ付き多心ケーブルハーネスは、上記本発明に係る多心ケーブルハーネスを備え、前記同軸ケーブルの中心導体と前記グランドケーブルの中心導体が、コネクタの接続端子に接続されていることを特徴とする。
【００１７】
さらに、本発明に係る多心ケーブルハーネスにおいて、前記グランドケーブルの前記中心導体の撚り方向と前記外部導体の撚り方向が逆方向であることが好ましい。
【００１８】
また、本発明に係る多心ケーブルハーネスにおいて、前記グランドケーブルの前記中心導体の撚り方向と前記外部導体の内層の撚り方向が逆方向であることが好ましい。
【００１９】
また、本発明に係る多心ケーブルハーネスにおいて、前記グランドケーブルの前記外部導体の撚りピッチが前記中心導体の撚りピッチよりも大きいことが好ましい。
【００２０】
また、本発明に係る多心ケーブルハーネスにおいて、前記グランドケーブルの前記中心導体、前記外部導体の内層、前記外部導体の外層の順に撚りピッチが大きくなることが好ましい。
【発明の効果】
【００２１】
本発明の多心ケーブルハーネスは、中心導体、内部絶縁体、外部導体、外被を中心から外側に向かって順に備えた複数の同軸ケーブルと、内部絶縁体がなく、中心導体、外部導体、外被を中心から外側に向かって順に備えたグランドケーブルと、が並列に配置されており、同軸ケーブルの外部導体及びグランドケーブルの外部導体にはグランドバーが導電接続されている。グランドケーブルは中心導体と外部導体とが接触して電気的に接続された構造であるため、グランドケーブルの中心導体がグランドバーと電気的に接続され、中心導体も共通のグランド電位に落ちる。また、グランドケーブルの中心導体からコネクタ等の接続端子へグランドすることが可能である。したがって、グランドバーの両端以外でもコネクタや基板等の接続端子を介してグランドすることができ、一層の多心化を図ったとしてもグランド電位を安定させることができる。
【００２２】
また、グランドケーブルは複数の同軸ケーブルに対して任意の箇所に配置できるため、当該多心ケーブルハーネスを接続するコネクタや基板等の構造に依存せず、接続先に合わせて同軸ケーブル及びグランドケーブルを配設しておき、ケーブル並列方向の任意の中間位置でグランドさせることができる。そのため、コネクタや基板等の設計自由度が増し、不要な設計変更を行なったり設計の異なる複数種のコネクタや基板等を用意したりする必要がない。したがって、グランド電位を安定させることができ、なおかつ低コストの配線を行なうことができる。
【００２３】
さらに、本発明の多心ケーブルハーネスを備えたコネクタ付き多心ケーブルハーネスは、グランドケーブルの中心導体がコネクタの接続端子に接続され、グランド電位を安定させるとともに、中間位置でグランドするための専用のコネクタを使用する必要がなく、汎用性の高いものとなっている。
【発明を実施するための最良の形態】
【００２４】
以下、本発明に係る多心ケーブルハーネス及びコネクタ付き多心ケーブルハーネスの実施形態の例について説明する。
図１は本発明に係る多心ケーブルハーネスの例を示す図であり、（Ａ）は多心ケーブルハーネスの平面図、（Ｂ）は（Ａ）中Ｆ方向から見た端面図である。なお、図１（Ａ）では、図面を簡明にするため、後述する第２グランドバー３０の図示を省略している。
【００２５】
図１に示すように、多心ケーブルハーネス１０は、複数本（本実施形態では３５本）の同軸ケーブル１１と、同軸ケーブル１１とは別のケーブル１１Ａと、少なくとも１本のグランドケーブル４０を有しており、これらが並列に配置されている。
【００２６】
同軸ケーブル１１は信号伝送用の信号ケーブルであり、本実施形態では３５本設けられている。
図２に示すように、同軸ケーブル１１は、中心導体１５と、中心導体１５の外周に配設された内部絶縁体１４と、内部絶縁体１４の外周に配設された外部導体１３と、外部導体１３の外周に配設された絶縁性の外被１２と、を有しており、これらを同軸状に配設して構成される。
【００２７】
同軸ケーブル１１は、例えば、ＡＷＧ（Ａｍｅｒｉｃａｎ  Ｗｉｒｅ  Ｇａｇｅ）の規格によるＡＷＧ４２に該当するケーブルが用いられている。ＡＷＧ４２の同軸ケーブル１１は、中心導体１５が、例えば外径０．０２５ｍｍの銀メッキ銅合金の素線１５ａを７本撚って形成され、外径が０．０７５ｍｍである。また、内部絶縁体１４は、中心導体１５の外周面を被覆する例えばＰＦＡ等のフッ素樹脂からなり押し出し被覆により外径０．１６５ｍｍに形成されている。さらに、外部導体１３は、外径０．０３ｍｍの例えば錫メッキ銅合金の素線１３ａを内部絶縁体１４の外周面に横巻きで螺旋状に巻き付けることで外径０．２２５ｍｍに形成されている。加えて、外被１２は外部導体１３の外周面を被覆する例えばＰＦＡ等のフッ素樹脂からなり、ＡＷＧ４２の場合は外径０．２９ｍｍに形成されている。なお、本発明に使用される同軸ケーブルは、この寸法に限定されず、ＡＷＧ４０よりも細い同軸ケーブルも使用できる。
【００２８】
同軸ケーブル１１の端部は、口出し処理されており、先端側から順に、中心導体１５、内部絶縁体１４及び外部導体１３がそれぞれ段階的に所定長さ露出している。
【００２９】
また、ケーブル１１Ａは電源供給用の給電ケーブルであり、本実施形態では４本設けられている。
ケーブル１１Ａは、同軸ケーブル１１と同様に、中心導体１５Ａ、内部絶縁体１４Ａ、外部導体１３Ａ、外被１２Ａを中心から外側に向かって順に備えた構成であり、例えば、ＡＷＧの規格によるＡＷＧ３８に該当するケーブルが用いられている。ケーブル１１Ａの中心導体１５Ａは、例えば、外径０．０４ｍｍの錫メッキ銅合金の素線を７本撚って形成されており、断面積が同軸ケーブル１１の中心導体１５より大きいものである。内部絶縁体１４Ａの外径は０．２２ｍｍであり、外部導体１３Ａは外径０．０３ｍｍの錫メッキ銅合金の素線を内部絶縁体１４Ａの外周面に横巻きで螺旋状に巻き付けて形成され、その外径が同軸ケーブル１１の外部導体１３の外径と略同等である。ケーブル１１Ａの外被１２Ａの外径は０．３６ｍｍである。また、ケーブル１１Ａの端部も、各部が同軸ケーブル１１と同様の長さで段階的に口出し処理されている。
【００３０】
図３に示すように、グランドケーブル４０は、中心導体４４と、中心導体４４の外周に配設された外部導体４２と、外部導体４２の外周に配設された外被４１と、を有しており、これらを同軸状に配設して構成される。中心導体４４は、例えば、外径０．０４ｍｍの銀メッキ銅合金の素線４４ａを７本撚って形成され、外径が０．１２ｍｍである。また、外部導体４２は、外径０．０５ｍｍの例えば錫メッキ銅合金の素線４２ａを中心導体４４の外周面に１０本横巻きで螺旋状に巻き付けることで外径０．２２ｍｍに形成されている。さらに、外被４１は外部導体４２の外周面を被覆する例えばＰＦＡ等のフッ素樹脂からなり、同軸ケーブル１１に合わせて外径０．２９ｍｍに形成されている。なお、外被４１はポリエステルテープを巻いて形成しても良い。また、本発明のグランドケーブルの中心導体の断面積は、並列される同軸ケーブルの中心導体の断面積よりも大きくできる。
【００３１】
このように、グランドケーブル４０は、通常の同軸ケーブルとは異なり中心導体４４と外部導体４２の間に内部絶縁体が設けられていないため、中心導体４４と外部導体４２が電気的に繋がった構成である。
【００３２】
また、図５に示すように、グランドケーブル４０の端部は、口出し処理されており、先端側から順に、中心導体４４、外部導体４２がそれぞれ段階的に所定長さ露出している。図１に示すように、中心導体４４の露出長さは、同軸ケーブル１１の中心導体１５と内部絶縁体１４の露出長さの和と同じであり、外部導体４２の露出長さは、同軸ケーブル１１の外部導体１３と同じである。
【００３３】
また、グランドケーブル４０の中心導体４４の撚り方向（右撚り）に対して、外部導体４２の撚り方向が逆方向の左撚りとなっている。さらに、この外部導体４２の撚りピッチが中心導体４４の撚りピッチよりも大きい。例えば、中心導体４４の撚りピッチが２ｍｍの場合、外部導体４２の撚りピッチは２．５〜４．５ｍｍ程度が好ましい。つまり、中心導体の撚りピッチの１．２５〜２．２５倍が好ましい。
これにより、中心導体４４端部から所定長さの位置でＹＡＧレーザ等で行う外部導体４２の切断除去作業時に、切断された外部導体４２が中心導体４４上にまとわり付くことがなく、作業性が良好である。
【００３４】
また、図３に示すグランドケーブル４０の代わりに、図４に示すグランドケーブル４０Ａを使用しても良い。
図４のグランドケーブル４０Ａは、図３のグランドケーブル４０と比較して、外部導体が、二層の横巻線からなる点で相違しており、各素線径や本数も異なっている。例えば、グランドケーブル４０Ａの中心導体４４Ａは、例えば、外径０．０２５ｍｍの銀メッキ銅合金の素線４４Ａａを７本撚って形成され、外径が０．０７５ｍｍである。また、第１外部導体４３Ａは、外径０．０４ｍｍの例えば錫メッキ銅合金の素線４３Ａａを中心導体４４Ａの外周面に８本横巻きで螺旋状に巻き付けることで外径０．１４５ｍｍに形成されている。さらに、第２外部導体４２Ａは、外径０．０３ｍｍの例えば錫メッキ銅合金の素線４２Ａａを第１外部導体４３Ａの外周面に１８本横巻きで螺旋状に巻き付けることで外径０．２０５ｍｍに形成されている。また、外被４１Ａは第２外部導体４２Ａの外周面を被覆する例えばＰＦＡ等のフッ素樹脂からなり、同軸ケーブル１１と略同等の外径０．２８ｍｍに形成されている。
【００３５】
図４のグランドケーブル４０Ａは、図３に示すグランドケーブル４０と比較して、外部導体の層が厚くなりやすいことから、中心導体４４Ａの外径を小さくしやすい構造であり、グランドケーブル４０Ａと同軸ケーブル１１の中心導体の外径を略同等となるように揃えやすい。
【００３６】
このグランドケーブル４０Ａにおいても、通常の同軸ケーブルとは異なり中心導体４４Ａと第１外部導体４３Ａ及び第２外部導体４２Ａの間に内部絶縁体が設けられていないため、中心導体４４Ａと第１外部導体４３Ａ及び第２外部導体４２Ａが電気的に繋がった構成である。
【００３７】
また、グランドケーブル４０Ａの端部も、グランドケーブル４０と同様に口出し処理されており、先端側から順に、中心導体４４Ａ、第２外部導体４２Ａがそれぞれ段階的に所定長さ露出している。第１外部導体４３Ａは露出させず、口出し処理の際には第１外部導体４３Ａ及び第２外部導体４２Ａの端部は長さ方向の同一箇所にあり一体として扱われる。
【００３８】
また、グランドケーブル４０Ａの中心導体４４Ａの撚り方向（右撚り）に対して、外部導体の内層側である第１外部導体４３Ａ及び外層側である第２外部導体４２Ａの撚り方向が逆方向の左撚りとなっている。さらに、中心導体４４Ａ、第１外部導体４３Ａ、第２外部導体４２Ａの順に撚りピッチが大きくなっている。例えば、中心導体４４Ａの撚りピッチが０．５〜０．８ｍｍ、第１外部導体４３Ａの撚りピッチが１．０〜３．０ｍｍ、第２外部導体４２Ａの撚りピッチが２．５〜４．５ｍｍであることが好ましい。例えば、中心導体４４Ａの撚りピッチを０．７５ｍｍ、第１外部導体４３Ａの撚りピッチを２．０ｍｍ、第２外部導体４２Ａの撚りピッチを３．５ｍｍとすることができる。中心導体４４Ａの撚りピッチに対して、第１外部導体４３Ａの撚りピッチをその２〜４倍、第２外部導体４２Ａの撚りピッチを４〜６倍とするのが好ましい。
これにより、中心導体４４Ａ端部から所定長さの位置でＹＡＧレーザ等で行う第１外部導体４３Ａ及び第２外部導体４２Ａの切断除去作業時に、切断された第１外部導体４３Ａ及び第２外部導体４２Ａが中心導体４４Ａ上にまとわり付くことがなく、作業性が良好である。
【００３９】
図７に、図１の矢視Ａ−Ａ位置の断面図を示す。
図１及び図７に示すように、多心ケーブルハーネス１０は、すべての同軸ケーブル１１、ケーブル１１Ａ及びグランドケーブル４０が並列に配置された状態で、位置を合わせた外部導体１３，４２が、それぞれに共通の第１グランドバー２０及び第２グランドバー３０により挟持され固定されている。
【００４０】
第１グランドバー２０は、図８に示すように、金属導体からなる帯状部材の両縁端部が長手方向に沿って略直角に折り曲げられて、平面部２１と縦壁部２２とから断面コ字状に形成されている。両縦壁部２２，２２には所定ピッチで配列された係止爪部２３が多数形成されている。隣接する係止爪部２３の間の溝に同軸ケーブル１１，ケーブル１１Ａ及びグランドケーブル４０の外部導体１３，１３Ａ，４２を係入する。係止爪部２３の間の溝に入る外部導体１３の外径と外部導体４２の外径は略同等であるため、溝の幅は外部導体１３，１３Ａ，４２の外径に合わせて全て一定に形成され、各ケーブル１１，１１Ａ，４０は一定の幅を有する係止爪部２３に挟まれて略一定のピッチで配列される。各ケーブル１１，１１Ａ，４０を一定のピッチで配列するためには、外部導体１３，１３Ａ，４２の外径差を±１０％以内に揃えておけばよい。
【００４１】
また、両縦壁部２２に係止爪部２３を設けることにより、各ケーブル１１，１１Ａ，４０をその軸線方向（図７において左右方向）に沿った２箇所で位置決めすることになり、各ケーブル１１，１１Ａ，４０をしっかり掴まえて確実に係止することができる。また、第１グランドバー２０は断面をコ字状とすることで、機械的強度が確保される。
【００４２】
図１及び図７に示すように、第１グランドバー２０は、少なくとも一側方の係止爪部２３が外部導体１３，１３Ａ，４２を係止するとともに、他側部の係止爪部２３が外部導体、内部絶縁体、外被の何れかを係止するものである。例えば、図２においては両方の係止爪部２３，２３が外部導体１３を係止している。２列の係止爪部２３は少なくとも一側方が、外部導体１３，１３Ａ，４２を係止することで、外部導体１３，１３Ａ，４２を一括して第１グランドバー２０に共通してグランドすることができる。
【００４３】
第１グランドバー２０と外部導体１３，１３Ａ，４２との間には接合部材２４が設けられており、この接合部材２４によって第１グランドバー２０と各ケーブル１１，１１Ａ，４０とが接合され、固定される。接合部材２４としては、例えば、板半田を用いることができるが、板半田の他に異方性導電フィルム（ＡＣＦ）、導電性接着剤（ペースト）等を用いることもできる。これらの接合部材２４により、第１グランドバー２０と外部導体１３，１３Ａ，４２とが固着されると同時に電気的に接続される。
【００４４】
また、図７に示すように、第１グランドバー２０と協働して各ケーブル１１，１１Ａ，４０を挟む第２グランドバー３０が設けられている。
第２グランドバー３０は、図９に示すように、第１グランドバー２０と同様、金属導体からなる帯状部材の両縁端部が長手方向に沿って略直角に折り曲げられて、平面部３１と縦壁部３２とから断面コ字状に形成されている。縦壁部３２には、第１グランドバー２０に設けられている係止爪部２３に対応して、各ケーブル１１，１１Ａ，４０を個別に挟み込むことができるように係止爪部３３が所定の幅かつ所定ピッチで設けられている。
【００４５】
また、第２グランドバー３０は、図７及び図９に示すように、その平面部３１の内面側であって第１グランドバー２０の係止爪部２３に対向する位置に、長手方向に沿って突出した２本の突条３４が設けられている。この突条３４は、各ケーブル１１，１１Ａ，４０の外部導体１３，１３Ａ，４２を第１グランドバー２０に対し強固に押圧できると同時に、リブの役目をして第２グランドバー３０の機械的強度を増すことができる。
【００４６】
第１グランドバー２０で位置決めされた各ケーブル１１，１１Ａ，４０を第１グラントバー２０の反対側から第２グランドバー３０で挟み込んで押えることにより、各ケーブル１１，１１Ａ，４０を第１グランドバー２０と第２グランドバー３０とで強固に固定することができる。
【００４７】
また、上記グランドバー２０，３０は、各ケーブル１１，１１Ａ，４０を係止するための係止爪部等を設けずに単純な細長平板形状であっても良い。例えば、図１０に示すように、平板状のグランドバー２０ａ，３０ａの間に挟み込み、グランドバー２０ａ，３０ａの対向面に設けられた板半田等の接合部材２４により、グランドバー２０ａ，３０ａと外部導体１３，１３Ａ，４２とを固着して電気的に接続することができる。このように、係止爪部等がない場合も半田や導電性接着剤等でグランドバーと外部導体を接合することができるが、各ケーブル１１，１１Ａ，４０の外部導体１３，１３Ａ，４２の外径は略同等（±１０％以内）にすることで、グランドバーとの隙間を揃えて接合しやすくなる。
【００４８】
次に、上記多心ケーブルハーネス１０の製造方法について説明する。
まず、多心ケーブルハーネス１０を構成する全てのケーブル１１，１１Ａ，４０を並列に配置して治具あるいはラミネートテープ等で保持する。各ケーブル１１，１１Ａ，４０の配置は、例えば、図１に示したように、１番心（図１の上端位置）から２０番心、２６番心から４０番心（図１の下端位置）を信号伝送用の同軸ケーブル１１とし、２２番心から２５番心を給電用のケーブル１１Ａとし、２１番心をグランドケーブル４０（またはグランドケーブル４０Ａ）とする。また、全てのケーブル１１，１１Ａ，４０の端部の位置を合わせる。なお、このとき、全てのケーブル１１，１１Ａ，４０における外被の外径が略同等（±１０％以内）であるため、治具等を用いてこれらを等ピッチで保持する場合に保持が容易となる。また、等ピッチでラミネートテープを接合する場合も作業を正確に行いやすい。
【００４９】
そして、全てのケーブル１１，１１Ａ，４０の端部を口出し処理する。この口出し処理は、ＹＡＧレーザあるいはＣＯ２レーザ等のレーザ加工機を用いて行うもので、まず、ＣＯ２レーザの波長や強度を調整して同軸ケーブル１１の外被１２とケーブル１１Ａの外被１２Ａとグランドケーブル４０の外被４１とを端部から所定の距離離れた位置で切断し、端部側を引き抜いて除去する。
【００５０】
次に、ＹＡＧレーザの波長や強度を調整して同軸ケーブル１１の外部導体１３とケーブル１１Ａの外部導体１３Ａとグランドケーブル４０の外部導体４２とを外被切断位置より所定長さ端部に寄った位置で切断し、端部側の外部導体１３，１３Ａ，４２を引き抜いて除去する。この工程でグランドケーブル４０の口出し処理は終了する。
【００５１】
なお、図３及び図５に示したグランドケーブル４０を使用した場合には、外部導体４２の素線４２ａが比較的太いため、ＹＡＧレーザを強く当てて確実に切断する必要があるが、図４及び図６に示したグランドケーブル４０Ａを使用した場合には、二層に横巻きされた第１外部導体４３Ａ及び第２外部導体４２Ａのうち、少なくとも外側の第２外部導体４２Ａが確実に切断されるようにＹＡＧレーザを弱めに当てると良い。第１外部導体４３Ａの素線４３Ａａ及び第２外部導体４２Ａの素線４２Ａａは何れも比較的細いため、ＹＡＧレーザを弱めに当てても切断しやすい。また、内側の第１外部導体４３Ａが完全に切断されなくても、引き抜く力により破断させることができる。さらに、内側の中心導体４４ＡをＹＡＧレーザにより損傷させるおそれがない。
【００５２】
また、その後、ＣＯ２レーザの波長や強度を調整して同軸ケーブル１１の内部絶縁体１４とケーブル１１Ａの内部絶縁体１４Ａをさらに端部寄りの位置で切断し端部側の内部絶縁体１４，１４Ａを引き抜いて除去する。この工程でケーブル１１，１１Ａの口出し処理も終了する。このように、全てのケーブル１１，１１Ａ，４０を一緒に加工するため、口出し処理を効率的に行うことができる。
【００５３】
そして、上記口出し処理を行ったら、外部導体１３，１３Ａ，４２を第１グランドバー２０の係止爪部２３間に挟み込んで所定ピッチに位置決めする（図１１中矢印Ｂ）と同時に、第２グランドバー３０を上方より被せて（図１１中矢印Ｃ）、同軸ケーブル１１の中心導体１５、ケーブル１１Ａの中心導体１５Ａ及びグランドケーブル４０の中心導体４４を第１グランドバー２０及び第２グランドバー３０より前方に突出させた状態で、第１グランドバー２０及び第２グランドバー３０と外部導体１３，１３Ａ，４２を半田や導電性接着剤などで固着する。
【００５４】
外部導体１３，１３Ａ，４２の、グランドバー２０，３０への接合は、第１グランドバー２０の平面部２１及び第２グランドバー３０の平面部３１に挟んだ板半田を加熱溶融して行う。なお、半田の代わりに異方性導電フィルム（ＡＣＦ）、導電性接着剤（ペースト）等を用いた場合には、加熱を行なう必要がないため、加熱による熱影響を防止することができる。
【００５５】
以上説明したように、上記実施形態の多心ケーブルハーネス１０は、複数の同軸ケーブル１１と、ケーブル１１Ａと、内部絶縁体がなく中心導体の外周に外部導体が設けられたグランドケーブル４０と、が並列に配置されており、端末処理により露出した各外部導体１３，１３Ａ，４２にはグランドバー２０，３０が導電接続されている。グランドケーブル４０は中心導体４４と外部導体４２とが接触して電気的に接続された構造であるため、グランドケーブル４０の中心導体４４がグランドバー２０，３０と電気的に接続されている。そのため、グランドケーブル４０の中心導体４４も共通のグランドに落とすことができ、中心導体４４からコネクタや基板等へグランドすることができる。したがって、グランドバー２０，３０の両端以外でもグランドケーブル４０の中心導体４４を介してグランドすることができ、上記実施形態のように４０心のケーブルハーネスであってもグランド電位を安定させることができる。
【００５６】
例えば、上記実施形態の多心ケーブルハーネス１０では、２２番心から２５番心に配置された給電用のケーブル１１Ａの側（２１番心）にグランドケーブル４０を配置してグランドし、それによりケーブル１１ＡからのＥＭＩ対策を効果的に行なって信号伝送用の同軸ケーブル１１の伝送品質が良好に維持されるようになっている。
なお、上記実施形態における各種ケーブルの本数及び配置は一例を示したものであり、適宜変更可能である。例えば、グランドケーブルは２本以上あっても良い。
【００５７】
また、グランドケーブル４０は複数の同軸ケーブル１１やケーブル１１Ａに対して任意の箇所に配置できるため、多心ケーブルハーネス１０を接続するコネクタや基板の構造に依存せず、接続先に合わせて同軸ケーブル１１、ケーブル１１Ａ及びグランドケーブル４０を配設しておき、ケーブル並列方向の任意の中間位置でグランドさせることができる。そのため、コネクタや基板等の設計自由度が増し、不要な設計変更を行なったり設計の異なる複数種のコネクタを用意したりする必要がない。したがって、グランド電位が安定でなおかつ低コストの配線を行なうことができる。
【００５８】
上記実施形態の多心ケーブルハーネス１０は、両端側にコネクタ付けされる場合や、一端側のみコネクタ付けで他端側は基板に接続される場合など、様々な形態を採り得る。次に、多心ケーブルハーネス１０の端部にコネクタを取り付けたコネクタ付き多心ケーブルハーネスについて説明する。
【００５９】
図１２に、コネクタ付き多心ケーブルハーネスの一端側の概略平面図を示す。また、図１３に、グランドケーブルの接続位置に該当する図１２中の矢視Ｄ−Ｄ位置の断面図を示す。
図１２及び図１３に示すように、コネクタ付き多心ケーブルハーネス５０は、多心ケーブルハーネス１０の端部の各中心導体１５，１５Ａ，４４が、コネクタハウジング５１に一体的に設けられている接続端子５２に各々独立して接続されている。中心導体１５，１５Ａ，４４は、例えばパルスヒートによる一括半田付けによって接続端子５２に接続することができる。
【００６０】
なお、パルスヒートによる一括半田付けを行なう際、各中心導体１５，１５Ａ，４４の外径が略同等であると、各中心導体間で均一な半田付けを行なうことができる。したがって、図４に示すグランドケーブル４０Ａを使用すると全ての中心導体１５，１５Ａ，４４Ａの外径を略同等とすることができ、均一な半田付けを行なうことができる。
【００６１】
図１３に示すように、多心ケーブルハーネス１０の端末部分では、コネクタハウジング５１の上に載置された各ケーブル１１，１１Ａ，４０（図１３ではグランドケーブル４０を図示）を覆うように、シェル５３がコネクタハウジング５１に取り付けられており、このシェル５３は半田または導電性接着剤を介して第２グランドバー３０と電気的に接続されている。なお、シェル５３と第２グランドバー３０との接続は、例えば、シェル５３の第２グランドバー３０に面する箇所の一部に開口部５３ａを設けておき、第２グランドバー３０の上にシェル５３を被せた後、開口部５３ａから半田や導電性接着剤を導入してシェル５３の下面と第２グランドバー３０の上面との間（符号５４の箇所）に充填させ、相互の導電接着を図ることによって行なうことができる。
【００６２】
このように構成されたコネクタ付き多心ケーブルハーネス５０は、レセプタクルに接続されると、シェル５３の長手方向両端部付近でグランド回路に接続される。シェル５３がグランド回路に接続されると、グランドケーブル４０はグランドバー２０，３０がシェル５３及び接続端子５２を介してグランドされることになるので、グランドバー２０，３０は長手方向両端部及びグランドケーブル４０の位置する任意の中間位置でグランドすることができる。このようにグランド箇所を増やすことで、多心ケーブルハーネス１０の心数が増加して幅が広くなっても、例えば、グランドバー２０，３０のグランド電位を零電位に近づけて安定なグランド電位を確保することができる。
【００６３】
このように、本発明に係る多心ケーブルハーネス１０を備えたコネクタ付き多心ケーブルハーネス５０は、グランドケーブル４０の中心導体４４がコネクタの接続端子５２に接続され、グランド電位が安定するとともに、中間位置でグランドするための専用のコネクタを使用する必要がなく、汎用性の高いものとなっている。
【図面の簡単な説明】
【００６４】
【図１】本発明に係る多心ケーブルハーネスの例を示す図であり、（Ａ）は多心ケーブルハーネスの平面図、（Ｂ）は（Ａ）中Ｆ方向から見た端面図である。
【図２】図１に示した多心ケーブルハーネスに用いられる同軸ケーブルの例を示す断面図である。
【図３】図１に示した多心ケーブルハーネスに用いられるグランドケーブルの例を示す断面図である。
【図４】図１に示した多心ケーブルハーネスに用いられるグランドケーブルの他の例を示す断面図である。
【図５】図３に示したグランドケーブルの斜視図である。
【図６】図４に示した他のグランドケーブルの斜視図である。
【図７】図１に示した同軸ケーブルの先端部で、図１（Ａ）中Ａ−Ａ位置での断面図である。
【図８】図１に示した第１グランドバーの斜視図である。
【図９】図１に示した第２グランドバーの斜視図である。
【図１０】平板状のグランドバーを使用する例を示す分解斜視図である。
【図１１】図１に示した多心ケーブルハーネスの製造過程を示す分解斜視図である。
【図１２】本発明に係るコネクタ付き多心ケーブルハーネスの一端側の概略平面図である。
【図１３】グランドケーブルの接続位置に該当する図１２中の矢視Ｄ−Ｄ位置の断面図を示す。
【図１４】従来の多心ケーブルハーネスを示す平面図である。
【符号の説明】
【００６５】
１０  多心ケーブルハーネス
１１  同軸ケーブル
１１Ａ  ケーブル（給電ケーブル）
１２  同軸ケーブルの外被
１３  同軸ケーブルの外部導体
１４  同軸ケーブルの内部絶縁体
１５  同軸ケーブルの中心導体
２０，２０ａ  第１グランドバー
３０，３０ａ  第２グランドバー
４０，４０Ａ  グランドケーブル
４１，４１Ａ  グランドケーブルの外被
４２  グランドケーブルの外部導体
４２Ａ  グランドケーブルの第２外部導体
４３Ａ  グランドケーブルの第１外部導体
４４，４４Ａ  グランドケーブルの中心導体
５０  コネクタ付き多心ケーブルハーネス
５１  コネクタハウジング
５２  接続端子
５３  シェル
【図１】
2008166251.tif 000003
【図２】
2008166251.tif 000004
【図３】
2008166251.tif 000005
【図４】
2008166251.tif 000006
【図５】
2008166251.tif 000007
【図６】
2008166251.tif 000008
【図７】
2008166251.tif 000009
【図８】
2008166251.tif 000010
【図９】
2008166251.tif 000011
【図１０】
2008166251.tif 000012
【図１１】
2008166251.tif 000013
【図１２】
2008166251.tif 000014
【図１３】
2008166251.tif 000015
【図１４】
2008166251.tif 000016